【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
金型に溶融樹脂を射出するノズルと、
射出成形時に形成されたランナを保持するランナ保持手段と、
前記ランナ保持手段を前記金型に出入りさせるための駆動機構と、
を有する射出成形機において、
前記射出成形機は、前記ランナ保持手段を型開き方向に付勢する付勢手段を備えていることを特徴とする射出成形機。
【請求項２】
前記付勢手段は、弾性部材で構成されていることを特徴とする請求項１に記載の射出成形機。
【請求項３】
前記弾性部材は、バネによって付勢されたボール部を先端部に有するプランジャーによって構成され、該ボール部が前記ランナ保持手段に当接して該ランナ保持手段を型開き方向に付勢することを特徴とする請求項２に記載の射出成形機。
【請求項４】
前記プランジャーは、前記ランナ保持手段に対する当接が調整可能に構成されていることを特徴とする請求項３に記載の射出成形機。
【請求項５】
ノズルから金型に溶融樹脂を射出してランナを有する成形品を固化させた後に型開きし、前記ノズルからランナを切り離して成形品を成形する射出成形方法において、
前記成形品の射出成形時に、型開き方向に付勢する付勢手段により付勢されたランナ保持手段を用い、前記ランナを前記ランナ保持手段に保持させる工程と、
前記金型の型開き時に、前記付勢手段の付勢力によって該金型の型開きに連動し、前記ランナ保持手段に保持されているランナを前記ノズルから強制的に切り離す工程と、
を有することを特徴とする射出成形方法。
【手続補正２】
【補正対象書類名】明細書
【補正対象項目名】発明の名称
【補正方法】変更
【補正の内容】
【発明の名称】射出成形機及び射出成形方法
【手続補正３】
【補正対象書類名】明細書
【補正対象項目名】０００１
【補正方法】変更
【補正の内容】
【０００１】
本発明は、射出成形機及び射出成形方法に関し、特に、ランナがノズルから分離不能となることを抑制可能とした射出成形機及び射出成形方法に関する。
【手続補正４】
【補正対象書類名】明細書
【補正対象項目名】０００６
【補正方法】変更
【補正の内容】
【０００６】
本発明は、上記課題に鑑み、成形材料に影響されることなく、ランナをノズルから容易かつ安全・確実に切り離し、ランナ保持手段の抜き出し動作を妨げず、安定した連続成形が可能となる射出成形機及び射出成形方法を提供することを目的とするものである。
【手続補正５】
【補正対象書類名】明細書
【補正対象項目名】０００７
【補正方法】変更
【補正の内容】
【０００７】
本発明は上記課題を解決するため、つぎのように構成した射出成形機及び射出成形方法を提供するものである。
本発明の射出成形機は、金型に溶融樹脂を射出するノズルと、
射出成形時に形成されたランナを保持するランナ保持手段と、
前記ランナ保持手段を前記金型に出入りさせるための駆動機構と、
を有する射出成形機において、
前記射出成形機は、前記ランナ保持手段を型開き方向に付勢する付勢手段を備えていることを特徴としている。
また、本発明の射出成形機は、前記付勢手段が、弾性部材で構成されていることを特徴としている。
また、本発明の射出成形機は、前記弾性部材が、バネによって付勢されたボール部を先端部に有するプランジャーによって構成され、該ボール部が前記ランナ保持手段に当接して該ランナ保持手段を型開き方向に付勢することを特徴としている。
また、本発明の射出成形機は、前記プランジャーが、前記ランナ保持手段に対する当接が調整可能に構成されていることを特徴としている。
また、本発明の射出成形方法は、ノズルから金型に溶融樹脂を射出してランナを有する成形品を固化させた後に型開きし、前記ノズルからランナを切り離して成形品を成形する射出成形方法において、
前記成形品の射出成形時に、型開き方向に付勢する付勢手段により付勢されたランナ保持手段を用い、前記ランナを前記ランナ保持手段に保持させる工程と、
前記金型の型開き時に、前記付勢手段の付勢力によって該金型の型開きに連動し、前記ランナ保持手段に保持されているランナを前記ノズルから強制的に切り離す工程と、を有することを特徴としている。
【手続補正６】
【補正対象書類名】明細書
【補正対象項目名】０００８
【補正方法】変更
【補正の内容】
【０００８】
本発明によれば、成形材料に影響されることなく、ランナをノズルから容易かつ安全・確実に切り離し、ランナ保持手段の抜き出し動作を妨げず、安定した連続成形が可能となる射出成形機及び射出成形方法を実現することができる。
【手続補正７】
【補正対象書類名】明細書
【補正対象項目名】００１２
【補正方法】変更
【補正の内容】
【００１２】
つぎに、射出成形時に形成されたランナを保持するランナ保持手段１を、金型に出入りさせるために駆動する駆動機構について説明する。
ランナ排出機構の母体であるランナフレーム８は、固定プラテン９にねじ１０で取付けられている。
動力源であるステッピングモータ１１が、ランナフレーム８に設けられた長穴に取付けられている。
また、ランナフレーム８には、シャフト１２を通すための長穴が設けられている。
ステッピングモータ１１のシャフト１２にはプーリー１３が取付けられ、更にランナフレーム８にもプーリー１４がショルダーボルト１５で取付けられている。これら二つのプーリー１３、１４にタイミングベルト１６が張られている。
この時、長穴を利用して、ステッピングモータ１１をスライドさせ、タイミングベルト１６を張るように構成されている。
更に、タイミングベルト１６の歯山に合うような溝を設けた駆動ブロック１７と駆動ブロック１８でタイミングベルト１６を挟み込むように構成されている。
このような仕組みによって、ステッピングモータ１１の回転運動を駆動ブロック１７、１８の直線運動に変換することができる。
【手続補正８】
【補正対象書類名】明細書
【補正対象項目名】００１４
【補正方法】変更
【補正の内容】
【００１４】
固定ブロック２７の詳細を図３に示す。
本実施の形態においては、ランナ保持手段１に当接して型開き方向に付勢し、このランナ保持手段１を強制的に押し下げるために、付勢手段として弾性部材で構成されているボールプランジャー２８が用いられる。
このボールプランジャー２８は、先端部におけるボール部２９が内部の不図示のバネによって先端側へ付勢するように構成されており、ランナフレーム８に固定ブロック２７を介して取付けられている。
固定ブロック２７には、ボールプランジャー２８を取付けるコの字形の取付穴があり、取付穴を締めこむようにねじ３０を締めこむことでボールプランジャー２８を固定する。
ランナフレーム８には、ボールプランジャー２８の先端のボール部２９が通るにげ穴が設けてあり、ボール部２９がランナ保持手段にぶつかるようにボールプランジャー２８の位置を調整する。
ねじ３０を緩めればボールプランジャー２８の位置は調整でき、ねじ３０を再度締め直すことでボールプランジャー２８は固定される。このように、プランジャーは、前記ランナ保持手段に対する当接が調整可能に構成されている。
【手続補正９】
【補正対象書類名】明細書
【補正対象項目名】００１６
【補正方法】変更
【補正の内容】
【００１６】
ランナ保持手段１の先端には、ランナの一部を形成するための切り欠きが設けられており、この状態で成形を行うことで切り欠き内に射出された溶融樹脂でランナの一部が形成され、これによりランナ４をランナ保持手段１に保持させることができる。
そして、ノズルから金型に溶融樹脂を射出してランナを有する成形品を固化させた成形終了後の型開き時に、ランナ保持手段１をボールプランジャー２８の付勢力によって該金型の型開きに連動し、ランナ４を保持した状態で押し下げることで、ランナ４をノズル３１から確実に切り離すことができる。
その後、ランナ保持手段１を金型から抜き出す動きを利用してランナ４の一部を分離ブロック５にあて強制的にランナ４とランナ保持手段１を分離させる。